(57)【要約】【課題】上着とズボンのサイズが異なる顧客においても胴囲の直しを不要とするスーツ用ズボンを提供する【解決手段】ズボン上部に形成したベルト布部１をインサイドポケット２の上部において、前身頃ベルト布部１１と後身頃ベルト布部１２に分離させて前身頃ベルト布部１１の後部を後身頃ベルト布部１２の前部を覆うように重ね合せて、後身頃ベルト布部１２の表面に前後に複数個のボタン３を間隔をおいて取り付け、また、前身頃ベルト布部１１の後端にボタン孔４ａを胴部前後方向の長孔状として設けたベルト布片４を連設して、前記ボタン孔４ａを前記複数個のボタン３のいずれかに嵌めあ合わせてベルト布部１の胴部周囲長さを調節自在とするとともに、重ね合せ部の後身頃ベルト布部１２の先端側表面と前身頃ベルト布部１１の後端側内面を面ファスナー５により係脱させる。【選択図】図３
0003147400.tif 000002
【実用新案登録請求の範囲】
【請求項１】
ズボン上部に形成したベルト布部をインサイドポケットの上部において、前身頃ベルト布部と後身頃ベルト布部に分離させて前身頃ベルト布部の後部を後身頃ベルト布部の前部を覆うように重ね合せて、後身頃ベルト布部の表面に前後に複数個のボタンを間隔をおいて取り付け、また、前身頃ベルト布部の先端にボタン孔を胴部方向の長孔状として設けたベルト布片を連設して、前記ボタン孔を前記複数個のボタンのいずれかに嵌めあ合わせてベルト布部の胴部周囲長さを調節自在とするとともに、重ね合せ部の後身頃ベルト布部の先端側表面と前身頃ベルト布部の後端側内面を面ファスナーにより係脱させたことを特徴とするスーツ用ズボン。
【請求項２】
ベルト布片を前身頃ベルト布部の後端にホックをもって着脱自在に連設して、前身頃ベルト布部の内面とこれと接するベルト布片の基端内面に対向させて設けたホックの雄部と雌部を、一方には前後に複数組の雄部又は雌部を配設して他方には１組の雌部又は雄部を設けて、１組設けた雌部又は雄部を前後に複数組み設けた雄部又は雌部のいずれかの組と嵌合させてベルト布片の長さを調節自在とした請求項１に記載のスーツ用ズボン。
【考案の詳細な説明】
【技術分野】
【０００１】
本考案は、レディ・メードの男性用のスーツ用ズボンに関するものである。
【背景技術】
【０００２】
レディ・メードの男性用のスーツは身長・体型に応じた種々のサイズが用意されている。しかし、顧客の中には上着とズボンのサイズが異なるものがいる。その場合には、直しに時間・工賃の係る上着を自分に合ったサイズのものを選択して、この上着と対となっているズボンの胴囲を直してスーツを購入するのが普通である。
【０００３】
しかし、ズボンの胴囲の直しが上着の直しに比べで時間・工賃が掛からないものであるが、上着とズボンのサイズが異なる顧客においてはやはり余分な費用を負担することとなる。そこで、スーツ用ズボンにおいても体裁よく胴囲の長さを調節できるものが待望されていた。なお、ズボンの胴囲を調節するものとしては、特許文献１、２に示すものが知られている。
【特許文献１】実開昭５５−１７２３０９号公報
【特許文献２】実開昭６３−２４２１１号公報
【考案の開示】
【考案が解決しようとする課題】
【０００４】
本考案は前記のような問題点を解決して、上着とズボンのサイズが異なる顧客においても胴囲の直しを不要とするスーツ用ズボンを提供することを目的として完成されたものである。
【課題を解決するための手段】
【０００５】
本考案のスーツ用ズボンは、ズボン上部に形成したベルト布部をインサイドポケットの上部において、前身頃ベルト布部と後身頃ベルト布部に分離させて前身頃ベルト布部の後部を後身頃ベルト布部の前部を覆うように重ね合せて、後身頃ベルト布部の表面に前後に複数個のボタンを間隔をおいて取り付け、また、前身頃ベルト布部の先端にボタン孔を胴部方向の長孔状として設けたベルト布片を連設して、前記ボタン孔を前記複数個のボタンのいずれかに嵌めあ合わせてベルト布部の胴部周囲長さを調節自在とするとともに、重ね合せ部の後身頃ベルト布部の先端側表面と前身頃ベルト布部の後端側内面を面ファスナーにより係脱させたことを特徴とするを基本の考案とする。
【０００６】
また、このような考案において、ベルト布片を前身頃ベルト布部の後端にホックをもって着脱自在に連設して、前身頃ベルト布部の内面とこれと接するベルト布片の基端内面に対向させて設けたホックの雄部と雌部を、一方には前後に複数組の雄部又は雌部を配設して他方には１組の雌部又は雄部を設けて、１組設けた雌部又は雄部を前後に複数組み設けた雄部又は雌部のいずれかの組と嵌合させてベルト布片の長さを調節自在としてもよい。
【考案の効果】
【０００７】
前記した本考案のスーツ用ズボンは、前身頃ベルト布部の先端にボタン孔を胴部前後方向の長孔状として設けたベルト布片を連設して、該ボタン孔を前記複数個のボタンのいずれかに嵌めあ合わせてベルト布部の胴部周囲長さを調節自在としたものであるので、上着とズボンのサイズが異なる顧客においてもズボンの胴回りの直しを不要とするものである。
【０００８】
また、本考案に係るものは、ズボン上部に形成したベルト布部をインサイドポケットの上部において、前身頃ベルト布部と後身頃ベルト布部に分離させて前身頃ベルト布部の後部を後身頃ベルト布部の前部を覆うように重ね合せてたものとして、この重ね合わせ状態を調節することにより胴部長さを調節自在とするものであるから、ベルト布部が皺よることなく体裁のよいものとなる.
【０００９】
また、前身頃ベルト布部の先端にボタン孔を胴部前後方向の長孔形状として設けたものであることから、ボタンの取付糸が該ボタン孔内を前後に移動するのでこの移動範囲内においても調節でき、しかも、後身頃ベルト布部の先端側表面と前身頃ベルト布部の後端側内面を面ファスナーで係脱をさせいることにより、ボタンがボタン孔の所定位置にとどまり、また、重ね合せ箇所の上下及び前後位置がずれることがないものである。
【００１０】
さらに、ベルト布片を長さ調節自在とする手段としては、ベルト布片を前身頃ベルト布部の後端にホックをもって着脱自在に連設して、前身頃ベルト布部の内面とこれと接するベルト布片の基端内面に対向させて設けたホックの雄部と雌部を、一方には前後に複数組の雄部又は雌部を配設して他方には１組の雌部又は雄部を設けてベルト布片の長さを調節自在とすることにより、複数個配設したボタンの間隔による調節に加えてベルト布片を長さを調節するにより、より細かい調節ができるものである。
【考案を実施するための最良の形態】
【００１１】
次に、本考案の好ましい実施の形態を図に基づき説明する。
１はズボン上部に形成したベルト布部であり、該ベルト布部はインサイドポケット２の上部において、前身頃ベルト布部１１と後身頃ベルト布部１２に分離させて前身頃ベルト布部１１の後部を後身頃ベルト布部１２の前部を覆うように重ね合せてある。
【００１２】
そして、後身頃ベルト布部１２の先端側の表面に前後に複数個すなわち３個のボタン３を間隔をおいて取り付け、また、前身頃ベルト布部１１の後端にボタン孔４ａを胴部前後方向の長孔状として設けたベルト布片４を前身頃ベルト布部１１に一体として連設してある。そして、前記ボタン孔４ａを複数個のボタン３のいずれかに嵌めあ合わせてベルト布部１の胴部周囲長さを調節自在とするものである。
【００１３】
また、重ね合せた後身頃ベルト布部１２の先端側表面と前身頃ベルト布部１１の後端側内面を面ファスナー５により係脱させて、ボタン３がボタン孔４ａの所定位置にとどまり、また、重ね合せ箇所の上下及び前後位置がずれることがないものとしている。
【００１４】
また、ベルト布片４を前身頃ベルト布部１１の後端にホック６をもって着脱自在に連設して、前身頃ベルト布部１１の内面とこれと接するベルト布片４の基端内面に対向させて設けたホックの雄部６ａと雌部６ｂを、一方には前後に複数組の雄部６ａ又は雌部６ｂを配設して他方には１組の雌部６ｂ又は雄部６ａを設けて、１組設けた雌部６ｂ又は雄部６ａを前後に複数組み設けた雄部６ａ又は雌部６ｂのいずれかと嵌合させてベルト布片４の長さを調節自在としている。
【００１５】
なお、図５に示すものは、前身頃ベルト布部１１の内面にホック６の雌部６ｂを前後に２組、ベルト布片４の基端内面に１組の雄部６ａをそれぞれ上下に２個設けたものを１組として配設してベルト布片４の長さを調節自在としたものである。なお、ベルト布片４と前身頃ベルト布部１１の連結をホック６により行うことにより、ズボン着用事においてベルト布片４と前身頃ベルト布部１１にかかる力がホックの着脱方向でなく横方向にかかるものであるから、着脱して長さの調節が容易であるにも関わらずズボン着用事には外れる虞のないものである。
【００１６】
このように構成されたものは、前身頃ベルト布部１１の後端に連設したベルト布片４に設けたボタン孔４ａを後身頃ベルト布部１２の表面に前後に複数個取り付けたボタン３いずれかに嵌めあ合わせてベルト布部１の胴部長さを調節自在としたものであるので、上着とズボンの胴囲のサイズが異なる顧客においてもズボンの胴囲の直しを不要とするものである。
【００１７】
また、本考案に係るものは、ベルト布部１をインサイドポケット２の上端において前身頃ベルト布部１１と後身頃ベルト布部１２に分離させて形成した重ね合せ部の前後の重ね合わせ状態を調節することにより胴部長さを調節自在とするものであるから、ベルト布部１やインサイドポケット２の前後が皺よることなく体裁のよいものである。また、前記したとおり後身頃ベルト布部１２の先端側の表面に前後に間隔をおいて取りつけた複数個のボタン３は飾りボタンとしての機能を発揮してクォリティーの高いものとなる。
【００１８】
また、前身頃ベルト布部１１の後端にボタン孔４ａを胴部前後方向の長孔形状として設けものであることにより、ボタン３の取付糸が該ボタン孔４ａ内を前後に移動するのでこの移動範囲内においても調節でき、しかも、重ね合せ部の後身頃ベルト布部１２の先端側表面と前身頃ベルト布部１１の後端側内面を係脱する面ファスナー５を設けて重ね合せ部の上下及び前後位置を保持するものとしているので、ボタン３がボタン孔４ａの所定位置にとどまり、また、重ね合せ部の上下及び前後位置がずれることがないものである。
【００１９】
さらに、ベルト布片４を前身頃ベルト布部１１の後端にホック６をもって着脱自在に連設して、前身頃ベルト布部１１の内面とこれと接するベルト布片４の基端内面に対向させて設けたホックの雄部６ａと雌部６ｂを、一方には前後に複数組の雄部６ａ又は雌部６ｂを配設して他方には１組の雌部６ｂ又は雄部６ａを設けて、１組設けた雌部６ｂ又は雄部６ａを前後に複数組み設けた雄部６ａ又は雌部６ｂのいずれかと嵌合させてベルト布片４の長さを調節自在とすることにより、複数個配設したボタン３の間隔による調節に加えてベルト布片４を長さを調節するにより、より細かい胴部周囲長さの調節ができるものである。
【図面の簡単な説明】
【００２０】
【図１】本考案の実施形態を示す側面図。
【図２】本考案の実施形態のベルト布部の長さを調節した一例を示す側面図。
【図３】本考案の実施形態のベルト布片をボタンから外して前身頃ベルト布部を開いた状態で示す側面図。
【図４】本考案の実施形態を示す正面図。
【図５】前身頃ベルト布部にベルト布片をホックにより長さ調節自在とした一例を示す側面図。
【符号の説明】
【００２１】
１  ベルト布部
11  前身頃ベルト布部
12  後身頃ベルト布部
２  インサイドポケット
３  ボタン
４  ベルト布片
4a  ボタン孔
５  面ファスナー
６  ホック
【図１】
0003147400.tif 000003
【図２】
0003147400.tif 000004
【図３】
0003147400.tif 000005
【図４】
0003147400.tif 000006
【図５】
0003147400.tif 000007